(57)【要約】  【課題】  低コストでいろいろな会社の多種多様な商品情報を一般消費者に提供できる商品情報配信方法を提供する。  【解決手段】  放送局が、映像と、その映像に含まれている商品の関連情報と、その商品が前記映像のどの場面で表示されるかという対応情報とを放送するステップと、受信側装置１４の記憶部２１に、放送された商品関連情報、対応情報を少なくとも一時的に格納するステップと、放送された映像を受信側の映像表示装置１５によって表示するステップと、映像表示装置１５に表示された商品の表示された場面を見て、視聴者がその商品に関する情報を得たいという指示入力があったことに応答して、前記対応情報に基づいて指示入力時より前の所定範囲域の商品関連情報を映像表示装置１５に表示するステップとを含むことを特徴とする。【選択図】  図２
2005094788.tif 000002
【特許請求の範囲】
【請求項１】
放送局が、映像と、その映像に含まれている商品の関連情報と、
その商品が前記映像のどの場面で表示されるかという対応情報とを放送するステップと、
受信側装置の記憶手段に、放送された商品関連情報、対応情報を少なくとも一時的に格納するステップと、
放送された映像を受信側の映像表示装置によって表示するステップと、
映像表示装置に表示された商品の表示された場面を見て、視聴者がその商品に関する情報を得たいという指示入力があったことに応答して、前記対応情報に基づいて指示入力時より前の所定範囲域の商品関連情報を映像表示装置に表示するステップ、
とを含むことを特徴とする、商品情報配信方法。
【請求項２】
前記請求項１に記載の商品情報配信方法において、映像表示装置に表示される商品関連情報が商品の区分毎に表示される、商品情報配信方法。
【請求項３】
請求項１又は請求項２に記載の商品情報配信方法において、映像表示装置に表示される商品関連情報とともに、前記所定範囲域の商品が表示された場面を縮小した縮小場面が表示される、商品情報配信方法。
【請求項４】
請求項３に記載の商品情報配信方法において、映像表示装置に表示され、視聴者が興味を持った商品を商品関連情報の表示に基づいて指定入力したことに応答して、前記縮小場面中の対応する商品の表示が変化する、商品情報配信方法。
【請求項５】
請求項３に記載の商品情報配信方法において、映像表示装置に表示され、視聴者が興味を持った商品を縮小場面に基づいて指定入力したことに応答して、前記商品関連情報の表示中の対応する商品の表示が変化する、商品情報配信方法。
【請求項６】
請求項１ないし請求項５のいずれか１項に記載の商品情報配信方法において、映像表示装置がタッチパネルであり、前記指定入力がタッチパネル２７を触ることにより行われる、商品情報配信方法。
【請求項７】
少なくとも受信側装置と映像を表示する映像表示装置を含んで構成されており、受信側装置が、映像と、その映像に含まれている商品の関連情報と、その商品が前記映像のどの場面で表示されるかという対応情報を少なくとも一時的に格納できる記憶手段と、視聴者が、映像表示装置に表示された映像中の商品を見て、その商品に関する情報を得たいという指示入力があったことに応答して、前記対応情報に基づいて指示入力時より前の所定範囲域の商品関連情報を映像表示装置に表示する制御手段とを有していることを特徴とする、商品情報取得装置。
【請求項８】
前記請求項１に記載の商品情報取得装置において、前記制御手段が、映像表示装置に表示される商品関連情報を商品の区分毎に表示させる、商品情報取得装置。
【請求項９】
請求項７又は請求項８に記載の商品情報取得装置において、前記受信側装置が、商品関連情報が付与された場面の縮小場面を記憶する縮小場面記憶手段を備え、前記制御手段が、映像表示装置に表示される商品関連情報とともに、前記所定範囲域の商品が表示された縮小場面を表示する、商品情報取得装置。
【請求項１０】
請求項９に記載の商品情報取得装置において、映像表示装置に表示され、視聴者が興味を持った商品を商品関連情報の表示に基づいて指定入力したことに応答して、前記制御手段が前記縮小場面中の対応する商品の表示を変化させる、商品情報取得装置。
【請求項１１】
請求項９に記載の商品情報取得装置において、映像表示装置に表示され、視聴者が興味を持った商品を縮小場面に基づいて指定入力したことに応答して、前記制御手段が前記商品関連情報の表示における対応する商品の表示を変化させる、商品情報取得装置。
【請求項１２】
請求項７ないし請求項１１のいずれか１項に記載の商品情報取得装置において、映像表示装置がタッチパネルであり、前記指定入力がタッチパネルを触ることにより行われる、商品情報取得装置。
【発明の詳細な説明】
【技術分野】
【０００１】
本発明は商品情報配信方法および商品情報取得装置に関する。
【背景技術】
【０００２】
従来、商品を説明して販売を行う番組（テレビショッピング）が放送されている。この商品販売番組においては、商品内容の説明を番組内で行い、商品購入は視聴者が販売会社へ電話をすることにより行われることが通常である。
【０００３】
一方、インターネットにおいて商品販売サイトが数多く設けられ、その商品販売サイトを訪れた人がインターネットにより商品注文をすることが既に行われている。
さらに、近年のテレビであれば、料理番組において料理に使用する材料の詳細をデータ放送で流して、視聴者がそのデータを得られるようになっている。
【発明の開示】
【発明が解決しようとする課題】
【０００４】
上記従来技術であれば下記のような課題がある。
（Ａ）前述のような商品販売番組では、紹介される商品の数に制限があり、その商品販売番組の視聴率が低ければ商品を注文する人も少なくなる。また、日用品から自動車、家まで多種多様な商品がある今日において、それらの全ての商品についてテレビショッピングなどの商品販売番組を作ることは、時間的、コスト的に難しい。
また、テレビショッピングでは、商品を消費者に売ろうとする意図が強く出るため、実質以上に商品を良くみせているのではないかと消費者に警戒されやすく、消費者の自発的な情報の収集という点で問題がある。
【０００５】
（Ｂ）インターネットの商品販売サイトで提供される画像の表示方式はＨＴＭＬ、ＢＭＰ、ＪＰＥＧなどの静止画が主であり、動画のものは少ない。ＭＰＥＧ方式などを使用すれば、少ない情報量で動画を提供することができるが、商品販売用の動画を商品毎に作ることは、その商品を販売している会社にとって大きな負担となる。まして、その商品販売サイトを訪問する人の数が少ない場合には、その動画を見る人は少なく、商品毎に動画を作ることは、コスト的に見合わないものとなる。
（Ｃ）上記のようなデータ放送による情報の取り出しは、デジタルテレビなどのリモコンのボタンを押す動作などが必要であり、電子機器の操作の苦手な人にとって簡単に操作できるものではなかった。
【０００６】
本発明は上記課題に鑑みてなされたものであり、本発明の目的は、上記課題を解決できる、商品情報配信方法および商品情報取得装置を提供することにある。
具体的な目的の一例を示すと、以下の通りである。
(ａ)低コストでいろいろな会社の多種多様な商品情報を一般消費者に提供できる商品情報配信方法および商品情報取得装置を提供する。
(ｂ)消費者側から見ると、消費者が関心を抱いた商品に関する情報を低コストでかつ簡単な操作で得ることができる商品情報配信方法および商品情報取得装置を提供する。
(ｃ)電子機器の操作の苦手な人でも感覚的に操作でき、簡単に商品情報を取得できる商品情報配信方法および商品情報取得装置を提供する。
なお、上記に記載した以外の発明の課題及びその解決手段は、後述する明細書内の記載において詳しく説明する。
【課題を解決するための手段】
【０００７】
本発明を、例えば、本発明の実施の形態を示す図１から図９に基づいて説明すると、次のように構成したものである。
第１発明の商品情報配信方法は、放送局が、映像と、その映像に含まれている商品の関連情報と、その商品が前記映像のどの場面で表示されるかという対応情報とを放送するステップと、
受信側装置１４の記憶手段２１に、放送された商品関連情報、対応情報を少なくとも一時的に格納するステップと、
放送された映像を受信側の映像表示装置１５によって表示するステップと、
映像表示装置１５に表示された商品の表示された場面を見て、視聴者がその商品に関する情報を得たいという指示入力があったことに応答して、前記対応情報に基づいて指示入力時より前の所定範囲域の商品関連情報を映像表示装置１５に表示するステップ、
とを含むことを特徴とする。
【０００８】
第２発明の商品情報配信方法は、第１発明において、映像表示装置１５に表示される商品関連情報が商品の区分毎に表示されることを特徴とする。
第３発明の商品情報配信方法は、第１発明又は第２発明において、映像表示装置１５に表示される商品関連情報とともに、前記所定範囲域の商品が表示された場面を縮小した縮小場面が表示されることを特徴とする。
第４発明の商品情報配信方法は、第３発明において、映像表示装置１５に表示され、視聴者が興味を持った商品を商品関連情報の表示に基づいて指定入力したことに応答して、前記縮小場面中の対応する商品の表示が変化することを特徴とする。
【０００９】
第５発明の商品情報配信方法は、第３発明において、映像表示装置１５に表示され、視聴者が興味を持った商品を縮小場面に基づいて指定入力したことに応答して、前記商品関連情報の表示中の対応する商品の表示が変化することを特徴とする。
第６発明は、第１発明〜第５発明において、映像表示装置１５がタッチパネル２７であり、前記指定入力がタッチパネル２７を触ることにより行われることを特徴とする。
【００１０】
第７発明の商品情報取得装置は、少なくとも受信側装置１４と映像を表示する映像表示装置１５を含んで構成されており、
前記受信側装置１４が、映像と、その映像に含まれている商品の関連情報と、
その商品が前記映像のどの場面で表示されるかという対応情報を少なくとも一時的に格納できる記憶手段２１と、視聴者が、映像表示装置１５に表示された映像中の商品を見て、その商品に関する情報を得たいという指示入力があったことに応答して、前記対応情報に基づいて指示入力時より前の所定範囲域の商品関連情報を映像表示装置１５に表示する制御手段とを有していることを特徴とする。
【００１１】
第８発明の商品情報取得装置は、第７発明において、前記制御手段が、映像表示装置１５に表示される商品関連情報を商品の区分毎に表示させることを特徴とする。
第９発明の商品情報取得装置は、第７発明又は第８発明において、前記受信側装置１４が、商品関連情報が付与された場面の縮小場面を記憶する縮小場面記憶手段２１を備え、前記制御手段が、映像表示装置１５に表示される商品関連情報とともに、前記所定範囲域の商品が表示された縮小場面を表示することを特徴とする。
【００１２】
第１０発明の商品情報取得装置は、第９発明において、映像表示装置１５に表示され、視聴者が興味を持った商品を商品関連情報の表示に基づいて指定入力したことに応答して、前記制御手段が前記縮小場面中の対応する商品の表示を変化させることを特徴とする。
第１１発明の商品情報取得装置は、第９発明において、映像表示装置１５に表示され、視聴者が興味を持った商品を縮小場面に基づいて指定入力したことに応答して、前記制御手段が前記商品関連情報の表示における対応する商品の表示を変化させることを特徴とする。
【００１３】
第１２発明は、第７発明〜第１１発明において、映像表示装置１５がタッチパネル２７であり、前記指定入力がタッチパネル２７を触ることにより行われることを特徴とする。
【００１４】
ここで、上記第１発明〜第１２発明について説明する。
上記映像には、映画、テレビ等で放映されるコマーシャルメッセージ（ＣＭ）、販売促進用番組等が含まれる。販売促進用番組には、衣服、家具、陶器などを紹介する番組や、海外の店を俳優とともに実際に旅行するように訪れるような番組も例示できる。
この発明の特徴的な点は、商品関連情報が登録された映像が、販売を目的とした映像に限定されないということである。例えば、テレビ番組の恋愛ドラマは高視聴率であるものが多くあるが、好きな女優又は男優が着ている服、身につけている品物、例えば、ネクタイ、イヤリング、指輪などに興味を持つ視聴者は多い。そのような場合に、この恋愛ドラマの映像に商品関連情報が付与されていれば、興味を持った服などを、視聴者が自発的な意志で手に入れることができるようになるのである。
【００１５】
逆に放送側、その服を作るメーカ側から捕らえると、番組を作るときにこの俳優が着る服を売ることを目的として、恋愛ドラマにおいて服が大写しになる場面を作れば、その洋服メーカは大きな宣伝になるとともに、放送局側は、その服の商品を扱う販売店等から所定の掲載料を取ることができ、新たなビジネスが生まれる。
【００１６】
本明細書における、商品関連情報の「商品」にはサービスも含まれる。例えば、映像中に実在の航空会社や運送会社などのサービス提供会社が出ている場合には、その会社が提供しているサービスに関する関連情報を提供すれば良い。
なお、第１発明において、放送局が映像・商品関連情報・対応情報を放送、送信する形態は、どのような方法であってもかまわない。また、上記商品関連情報、対応情報に加えて、後述する縮小場面情報を放送局が配信するように構成しても良い。
【００１７】
前記所定範囲幅の設定方法としては、所定時間の幅を決定する方法や、指定入力された時から、例えば、ｎ場面（ｎは自然数）遡って探索して表示するというような場面数を決定する方法がある。ここで、ｎ場面とは、映画のｎシーンという意味ではなく、あくまで商品関連情報が付与されている商品が表示されている場面という意味である。２時間の映画の場面中、商品関連情報が付与されている場面が２場面しかない場合は、視聴者がタッチパネルにタッチした時点で、図６（Ｂ）に示すような商品関連情報、縮小場面は、その２つの場面に含まれる情報だけを表示すれば十分である。
【００１８】
本明細書において「配信」とは、不特定多数の受信者に情報を送る形態（放送）や、特定の人に情報を送る形態をも含むものとする。また、配信に使用する手段は電波や光信号など特に限定されない。
前記商品の区分とは、商品を検索するときに、例えば、概念的、用途別、使用者別に分けられたものを言う。商品区分は、配信される映像毎に付与してもよいし、複数の映像や商品を提供する会社のコードも考慮した、統一的な商品区分を設けても良い。
なお、前記商品関連情報には、インターネット上の商品情報蓄積サイトへのアドレス情報が含まれていることが好ましい。
【発明の効果】
【００１９】
第１発明、第７発明であれば、視聴者が興味を持った映像に含まれる商品関連情報を、極めて簡単に手にすることができる。したがって、消費者が関心を抱いた商品に関する情報を低コストでかつ簡単な操作で得ることができる。
第２発明、第８発明であれば、映像表示装置に表示される商品関連情報が商品の区分毎に表示されるので、情報が欲しいと思っている商品を視聴者が探しやすくなる。
【００２０】
第３発明、第９発明であれば、商品関連情報とともに商品が表示された縮小場面が表示されるので、情報が欲しいと思っている商品を視聴者が探しやすくなる。
第４発明、第１０発明であれば、視聴者が指定入力した商品関連情報が縮小場面において、どの商品に相当するのか確認することができるので、情報が欲しいと思っている商品を視聴者が探しやすくなる。
【００２１】
第５発明、第１１発明であれば、視聴者が指定入力した縮小場面中の商品が、商品関連情報の表示におけるどの商品に相当するのか確認することができるので、情報が欲しいと思っている商品を視聴者が探しやすくなる。
第６発明、第１２発明であれば、映像表示装置がタッチパネルであり、前記指定入力がタッチパネルを触ることにより行えるので、電子機器の操作の苦手な人にとっても感覚的に操作でき、簡単に商品情報を取得できる。
【発明を実施するための最良の形態】
【００２２】
以下、本発明の実施の形態を図面に基づき説明する。
図１は本実施形態に係る商品情報配信方法、商品情報取得装置を説明するための放送局側のシステム構成図、図２は受信側装置のシステム構成図である。
図１に示すように、放送局側システム１は、映像を生成する映像生成部２と、生成された映像を所定時間記憶する映像記憶部３と、放送する映像に含まれる商品の関連情報を生成する商品関連情報生成部４と、その商品関連情報を記憶する商品関連情報記憶部５と、商品が前記映像のどの場面で表示されるかという対応情報を生成する対応情報生成部６と、生成された対応情報を記憶する対応情報記憶部７と、映像、商品関連情報、対応情報を所定の方式により多重化する多重化部８と、多重化された情報を変調する変調部９と、変調された情報を送信するアンテナ１０とを備えている。
【００２３】
なお、放送局側で、映像、商品関連情報、対応情報を生成しない場合は、前の段階で予め得られた映像、商品関連情報、対応情報を、それぞれ映像記憶部３、商品関連情報記憶部５、対応情報記憶部７に記憶しておき、必要により取り出して多重化部９により多重化する。また、本実施形態では多重化しているが、本発明においては多重化は必ずしも必須要件ではない。
【００２４】
図２に示すように、受信側のシステム１２は、大別すると、アンテナ等の受信部１３と、受信側装置１４と、映像表示装置１５とを含んで構成してある。
受信されたテレビ信号は、図示しない選局部により選局され、復調部１６で復調されて一方を映像切換・合成部１７に入力し、他方をデータ放送デコーダ部１８に入力している。データ放送デコーダ部１８では、復調されたテレビ信号に多重化されている各種情報を分離して復号する。ＣＰＵ１９は、バスライン２０などにより、復調部１６、データ放送デコーダ部１８、映像切換・合成部１７、ＲＡＭ・ＲＯＭなどで構成される記憶部２１、キーボード・マウス・コントローラなどの入力部２２、処理画面生成部２３、映像記憶部２４、モデム２５、ＮＣＵ２６などが接続されており、バスライン２０などを通じて所定のデータ、情報をやり取りする。なお、図２に示した構成では復調部１６からの信号がバスライン２０などを介してデータ放送デコーダ部１８に入力されるような構成が一例とし
て示してあるが、まず、復調部１６からの信号をデータ放送デコーダ部１８に入力してから、その復号情報をＣＰＵ１９のバスライン２０などに入力しても良い。
【００２５】
映像表示装置１５は、この実施形態ではタッチパネル２７が採用されており、タッチパネル２７に付属する各種のタッチパネルセンサ２８でタッチ入力を検出し、タッチパネル制御部２９を介してその指示入力の信号はＣＰＵ１９に入力される。
記憶部２１のＲＯＭ領域には、本実施形態の処理を行う処理プログラムが記憶されており、記憶部２１のＲＡＭ領域には、前述した商品関係情報、対応情報、縮小場面情報などが記憶される。
【００２６】
縮小場面情報は、図９（Ａ）に示すような、映像の場面に表示されている商品の表示領域情報、例えばシャツであれば、シャツがどの領域（図９（Ａ）において斜線部３７で示す）まで広がっているかという情報や、その商品の表示領域情報から商品関連情報を参照するリンク情報などが記憶されている。これらの縮小場面情報は、放送局側が生成しても、受信側装置１４で映像記憶部２４に記憶された各場面の情報から生成してもよい。通常は、放送局側が生成して、商品関係情報、対応情報とともに縮小場面情報も多重化されてアンテナ１０（図１参照）によって送信される。
【００２７】
図２に示す映像記憶部２４はＤＶＤなどの大容量の記憶装置が使用され、受信された映像が記憶される。放送された映像をリアルタイムで視聴者が見るのではなく、この映像記憶部２４に記憶しておくことにより、好きな時間に映像を見ることができる。
モデム２５、ＮＣＵ２６などの通信接続装置３１は、インターネット３０に接続するためのもので、ＡＤＳＬ、光ファイバーネットワークなども通信接続装置３１に含まれる。
処理画面生成部２３は図６（Ｂ）（Ｃ）に示すような処理画面を生成する機能がある。
【００２８】
上記構成の商品情報取得装置を使用した商品情報配信方法の作用について、図３〜図５を参照しつつ説明する。
なお、図３は放送局側の放送処理を示すフローチャートの一例、図４は受信側装置の基本受信処理を示すフローチャートの一例、図５は受信側装置の処理プログラムのフローチャートの一例である。
【００２９】
予め映像と商品関連情報が得られており、対応情報のみを放送局側が生成する場合を例にとり説明する。まず、図３におけるステップＳＰ１０１において、予め得られている映像を放送局側の映像記憶部３（図１参照）に記憶するとともに、得られている商品関連情報を商品関連情報記憶部５に記憶し、ステップＳＰ１０２において放送局が対応情報を生成し、ステップＳＰ１０３において映像に商品関連情報、対応情報を多重化し、ステップＳＰ１０４において多重化された信号をアンテナ１０から放送する。
上記ステップＳＰ１０３において多重化する方法としては、商品関連情報、対応情報を映像の垂直帰線区間にデータ放送として挿入して、１つの周波数で配信する方法が考えられる。また、映像を配信する周波数と、商品関連情報、対応情報を配信する周波数を異ならせる方法も採用できる。
【００３０】
図４は受信側装置の基本受信処理を示すフローチャートであり、ステップＳＰ２０１において受信部１３（図２参照）でテレビ放送を受信し、ステップＳＰ２０１においてデータ放送デコーダ部１８においてデータ放送又は各種情報を映像情報からデコードし、ステップＳＰ２０３においてデコードされた各種情報から商品関連情報、対応情報、必要によって縮小場面情報を記憶部２１に記憶するとともに、映像切換・合成部１７を経て、受信した映像情報を映像表示装置１５に表示する。受信、復調、映像の表示は従来から行われてきたテレビ装置と同じと考えて良い。
【００３１】
図５は受信側装置の処理プログラムが行うフローチャートであり、ステップＳＰ３０１において映像が表示されるタッチパネル２７（図２参照）の表示画面に触ることにより、映像表示中に指示入力があったか否かを判別し、指示入力があったと判別された場合は、ステップＳＰ３０２において指示入力時の図８に示すような対応情報を参照し、ステップＳＰ３０３において指示入力前の所定時間幅又は所定場面数において、図７に示すような商品関連情報を取得し、ステップＳＰ３０４において、例えば図６（Ｂ）に示すように商品区分コード毎にその所定時間幅又は所定場面数に付与された商品と縮小場面を表示し、ステップＳＰ３０５においてその一覧表示された商品リスト、縮小場面からその商品に関する情報が欲しいかを視聴者が選択入力すること待ち、選択入力がされたことに応答して
その商品関連情報を表示する。そして、ステップＳＰ３０６において、続けて映像を見るか否かを判別し、映像を見ると判別された場合は、映像を再表示してステップＳＰ３０１に戻る。一方、続けて映像を見ないと判別された場合は、一連の処理を終了する。
【００３２】
図７は商品関連情報の一例を示す図である。
この記商品関連情報は映像の配信される単位、例えば、前述のＣＭ、配信される映画単位に行われる。
図７において、この映像コード名は「Ｍｏｖｉｅ００１」であり、その映画の題名は、「タイトルマッチ」ということが分かる。この映画は、ボクシングの世界チャンピオンを目指す男の物語である。そして、商品関連情報には、その映画内に表示される、商品のうち、情報を取り出すことができる商品の区分コード等が記憶されている。
【００３３】
図７に基づいて具体的に説明すると、商品区分コードとして、例えば、機械・装置類として、Ａという記号がつけられ、自動車ならＡ０１Ｃ、自転車ならＡ０２Ｄ、トレーニング機器ならＡ０３Ｅというように区分コードが付けられ、各商品毎に映画に登場する商品名が記憶してある。また、その商品を提供する販売会社名と、その連絡先、電話、インターネット上のサイトＵＲＬなどが記憶されている。
【００３４】
図８（Ａ）（Ｂ）はそれぞれ対応情報の一例を示す図であり、各映像につけられる場面コードがあればそのような場面コードで表示し、また映像を表示してからのその場面が表示される表示時間、その場面に表示される商品等が一覧に記憶されている。
【００３５】
具体的に説明すると、図８（Ａ）は自動車の外観が表示される場面で、場面コードは「ＳＣ００００１２９」であり、対応する縮小場面コード（縮小場面情報の一つ）が記憶されている。また、その場面コードの表示時間はその映画において、１時間１０分２６秒〜４０秒の間であることが示してある。そして、その画面において商品情報を取り出すことができる商品としては、自動車とタイヤが記憶されている。
また、図８（Ｂ）は主人公とその友人が会話を行っている場面で、場面コードは「ＳＣ００００１２８」であり、対応する縮小場面コードが記憶されている。
また、表示時間はその映画において１時間１０分２１秒〜２５秒の間であることが示してある。そして、その画面において商品情報を取り出すことができる商品としては、２人が着ているシャツ、セーター、ズボンＡ、ズボンＢであることが記憶されている。
【００３６】
上記のような商品関連情報、対応情報は、情報が付けられている商品があれば、設けられるもので、１つの映画の中に１つの商品関連情報、１つの対応情報しか登録されていないような場合も考えられる。また、１つの映画中に数千の対応情報、数万の商品関連情報が登録されている場合も考えられる。
【００３７】
図６（Ａ）（Ｂ）（Ｃ）はそれぞれ映画の場面の流れと、商品関連情報の表示及び処理画面の関係を示す図であり、図６（Ａ）はタッチパネルの表示画面、図６（Ｂ）は商品関連情報を取り出すための処理画面、図６（Ｃ）は取り出された商品関連情報を表示した画面を示す。
【００３８】
図６（Ｂ）に示す処理画面は、処理プログラムに基づいて、処理画面生成部２３において生成される。図６（Ｂ）における処理画面内の縮小場面表示欄３４には、映画の進行に対応して左側から右側へ商品関連情報が付与された場面がＳＣ００００１２７、ＳＣ００００１２８、ＳＣ００００１２９というように表示される。なお、ＳＣ００００１２７の「ＳＣ」とは「ｓｃｅｎｅ」から取ったものである。この映画の主人公のボクサーは、第１場面（ＳＣ００００１２７）においてその友人と自宅内でおり、第２場面（ＳＣ００００１２８）において主人公とその友人が大写しになり、第３画面（ＳＣ００００１２９）においてその２人が車に乗って外出するという、映画の流れであったとする。
【００３９】
ここで視聴者が主人公が乗って外出した車の画面を見て、その車の情報を知りたいと思ったときは、図６（Ａ）に示すように自動車が映っているタッチパネル画面にタッチして、指示入力を行う。前記した図５のフローチャートのステップＳＰ３０１において指示入力があったかを処理プログラムは常時監視しているので、タッチしたときに、タッチパネル画面の全体に処理画面を表示すること又はタッチパネル画面に部分的に処理画面を挿入することにより、図６（Ｂ）に示すような商品区分コード毎に登録されている商品を表示する。このとき、視聴者は自動車の情報を知りたいと思ってタッチしたとしても、時間的に遅れてタッチするから、受信側装置１４は、どの画面に映った商品の情報を知りたいのかが分からない。そこで図６（Ｂ）に示すように、その自動車の画面より前の商品が登録
されている場面を時間の経過順にしたがって、小さく表示する縮小場面表示欄３４を設ける。この実施形態では、３つの縮小場面表示欄３４が設けられている場合を示してある。そして、それらの縮小場面表示欄３４に現れている商品を商品の区分毎に一覧で見れるようにすれば、視聴者は目的とする商品を探しやすくなる。
【００４０】
そして、タッチパネル２７にタッチしたり、図示しない本システムのリモコン操作器を使って選択する商品の位置（図６（Ｂ）の矢印３３参照）を指定することにより、目的とするセダンの自動車の情報が欲しいと入力する。すると、図７に示すような商品関連情報と図８に示すような対応情報に基づいて、図６（Ｃ）に示すような縮小場面に示された自動車の名前、連絡先情報、価格など基本的な情報を手に入れることができる。その表示画面の連絡先又はダウンロード先をクリック又はタッチすることにより、図２に示す通信接続装置３１から、インターネット３０上のその会社の販売サイトにジャンプしたり、必要な情報をダウンロードすることができる。
【００４１】
このように、映像の所定場面に含まれる商品情報を順次、表示するように構成することにより、視聴者は自分の興味のある商品情報を自分の意思で入手することが可能になる。
【００４２】
図９（Ａ）（Ｂ）はそれぞれ前記した第４発明、第５発明と第１０発明、第１１発明の実施形態の一例を示す図であり、縮小場面と商品関連情報の連係処理を説明するための図である。
図９（Ａ）は視聴者が指定入力した商品関連情報としてタッチ入力又はカーソルの矢印３５によって「シャツ」を選んだことに応答して、縮小場面の対応する「シャツ」の領域３７が反転表示、点滅表示等して変化することで、商品関連情報が縮小場面上のどの商品に相当するのか確認することができるようになっている実施例を示したものである。
【００４３】
図９（Ｂ）は視聴者が縮小場面を見て、選択したいとして縮小場面上の服の領域３８をタッチ入力又はカーソルの矢印３６などを近づけることにより、その服の領域３８が反転表示等し、その服に対応する商品関連情報３９が点滅表示等される。したがって、縮小場面で特定した商品が商品関連情報の表示のどの商品に相当するのか確認することができるので、情報が欲しいと思っている商品を視聴者が探しやすくなる。
【図面の簡単な説明】
【００４４】
【図１】図１は本発明の一実施形態に係る商品情報配信方法、商品情報取得装置を説明するための放送局側のシステム構成図である。
【図２】図２は本発明の一実施形態に係る商品情報配信方法、商品情報取得装置を説明するための受信側のシステム構成図である。
【図３】図３は放送局側の放送処理を示すフローチャートの一例である。
【図４】図４は受信側の受信基本処理を示すフローチャートの一例である。
【図５】図５は受信側装置の処理プログラムのフローチャートの一例である。
【図６】図６（Ａ）は映像表示装置に表示されている画面、図６（Ｂ）は商品区分コードに基づいて登録された商品を一覧で表示した画面、図６（Ｃ）は商品関連情報を表示した画面である。
【図７】図７は商品関連情報の一例を模式的に示す図である。
【図８】図８（Ａ）（Ｂ）はそれぞれ対応情報の一例を模式的に示す図である。
【図９】図９（Ａ）（Ｂ）はそれぞれ縮小場面と商品関連情報の連係形態を説明するための図である。
【符号の説明】
【００４５】
１４…受信側装置、１５…映像表示装置、２１…記憶部、２７…タッチパネル。
【図１】
2005094788.tif 000003
【図２】
2005094788.tif 000004
【図３】
2005094788.tif 000005
【図４】
2005094788.tif 000006
【図５】
2005094788.tif 000007
【図６】
2005094788.tif 000008
【図７】
2005094788.tif 000009
【図８】
2005094788.tif 000010
【図９】
2005094788.tif 000011